(57)【特許請求の範囲】
【請求項１】
エアコン室外機の左右一対の脚を受ける脚座を上面側に凹状で形成して設け、その周囲に中空凸状で一連に形成した側壁の長手方向で且つ前記エアコン室外機本体部を中間部で逃がした凹んだ段差部を側壁を連ねて、前記エアコン室外機の前面側に突出した前脚部と同室外機の防振用ゴムを重ねて差込む固定穴を側壁の内側の前面側で脚座の間に切り欠くとともに、その上部で側壁上面から連ねて一体に形成した脚カバー部を具備し、更に置台の台形下部全周に設けたフランジ部で設置面に据付ける置台を一体成形した室外機脚を受けて据付ける樹脂製の室外機の据付け置台。
【請求項２】
エアコン室外機の左右一対の脚を受ける脚座を上面側に凹状で形成して設け、その周囲に中空凸状で一連に形成した側壁の長手方向で且つ前記エアコン室外機本体部を中間部で逃がした凹んだ段差部を側壁を連ねて、前記エアコン室外機の前面側に突出した前脚部と同室外機の防振用ゴムを重ねて差込む固定穴を側壁の内側の前面側で脚座の間に切り欠くとともに、その上部で側壁上面に前脚部を保護しカバーする脚カバー部材を側壁に係合固定する係合穴を具備し、更に置台の台形下部全周に設けたフランジ部で設置面に据付ける置台を一体成形した室外機脚を受けて据付ける樹脂製の室外機の据付け置台。
【請求項３】
エアコン室外機の左右一対の脚を受ける脚座の下部で中空台形形状の据付け置台を重ねた状態で上部側にある据付け置台内面と下部側にある据付け置台上面間の隙間に干渉しない高さの補強リブを脚座の下に懸る室外機の負荷を加重平均させて一体で複数本にして設け、前脚側を差込む固定穴の切り欠き部の低負荷部を補強せしめたことを特徴とする請求項１または２記載の室外機の据付け置台。
【請求項４】
エアコン室外機の背面側後脚部の固定穴とその下部に敷いて防振させる防振用ゴムの穴を位置決めし保持する高さのピンを脚座部の上方に突出させ具備する構成した請求項１または２記載の室外機の据付け置台。
【請求項５】
前記エアコン室外機の左右一対脚の背面側、後脚の固定用穴を位置決めし、保持するピンの上面中央にねじ固定穴を室外機の脚を受ける脚座部に設けて、固定座金とねじで固定する構成した請求項４記載の室外機の据付け置台。
【発明の詳細な説明】
【０００１】
【発明の属する技術分野】
本発明はエアコンの室外機の据付け置台に関するものである。
【０００２】
【従来の技術】
従来、この種の据付け置台は室外機の脚を各種形状の置台の上面にボルトやナットによって固定されていたが、置台の取付スペースが拘束され、据付け作業の簡便化や軽作業化が要望されていた。また住宅の高質化、エクステリア仕上がり性の向上か要求され、従来方式では室外機の脚取付部のボルトやナットが露呈し、その端部が露出したままでは安全面の課題や美観を損なう要因があった。
【０００３】
【発明が解決しようとする課題】
しかしながら、上記従来の構造では上面ボルト固定方式の置台では、室外機の脚が露出して、固定部の取付け作業も複雑で専用の工具が必要で且つ比較的に時間がかかっていたため簡易にすることが要求されていた。また、仕上がり美観を更に向上させる別途の化粧カバー等で対応するのが現状であったため、一体感があり、据付け作業の簡易な据付け置台を提供することを目的とする。
【０００４】
【課題を解決するための手段】
上記課題を解決するため本発明は室外機の前面側と背面側に突出した脚部形状と取付け構造を利用して脚部の支持、固定を簡便にするため、室外機の脚部を差込み固定する差込み部とその差込み固定すると共にその露出脚部の保護カバーをして、更に背面側の固定を容易にする支持ピンを具備して一体成形した樹脂製の置台して軽量化を図り、据付け作業が簡便にできる構成した。
【０００５】
このことにより、室外機を設置する時に脚部のカバーと差込みによる引っ掛け固定が同時にでき、更に置台への位置決め作業性が向上し、据付け美観の向上や取付け作業性や取付け後の安全性を改善した。
【０００６】
また、据付け置台の固定部と化粧カバー部の一体成形化が図れ、加工面でも樹脂製のため、防錆や、耐候性に優れ、軽量にでき、廉価で量産性に優れている。
【０００７】
【発明の実施の形態】
請求項１に記載の発明は上記課題を解決するため、エアコン室外機の前面側と背面側に突出した左右一対の脚のを受ける脚座部の全周に連ねた中空状に形成した側壁の前面側の脚部を引っ掛けて固定する部位を切り欠いて差込み部設けることで脚部をカバーして覆い、且つ前記室外機の本体部を段差にして逃がし部を設けた形状に形成することで室外機への据付け支持と前脚の保護カバーが出来る。
【０００８】
請求項２に記載の発明は前項同様で脚座の全周に連ねた側壁から露呈する室外機前脚等の露出部を保護カバーするため、カバー部の係止片と置台の側壁内側の係止穴を係合固定させることで置台との一体感ができ、請求項１と同等の固定が可能となる。
【０００９】
請求項３に記載の発明は前項請求の据付け置台の脚座下面に室外機の負荷を加重平均させ据付け置台の耐負荷を平均化して変形等の発生がないように複数本の補強リブを設ける。更に補強リブは置台同士を重ね合わせたトラッキングスペース中で高さはそのトラッキング高さよりやや低めの高さにて一体で形成させること強度の均衡を図る。
【００１０】
請求項４に記載の発明は前記エアコン室外機下部の左右一対の脚に設けた固定用穴に前記据付け置台の脚座部より上方に突出させたピンへ差込み位置決めして支持する。又、防振用穴付きゴム等を容易に位置決めさせることで据付け作業を容易にさせることができるものである。
【００１１】
請求項５に記載の発明は前記据付け置台の脚座部の上方に突出させたピンの上面にねじ固定穴を設け、固定座金とねじで固定させるものである。
【００１２】
【実施例】
以下本発明の実施例について図面を参照にして説明する。
【００１３】
（実施例１）
図１はエアコン室外機と本発明の据付け置台全体の設置斜視図であり、図２の据付け置台の斜視図であり、図３は防振ゴムを介して設置した断面図により説明する。
【００１４】
図のようにエアコン室外機本体Ａに左右一対でその前後に設置固定穴Ｃを具備した脚Ｂにより平地面に据え置きするの断面形状が台形箱状を成し、その下底部を開放状にした中空形状の据付け置台１の上面にエアコン室外機の脚Ｂを受ける脚座２を凹ませて、その全周に幅広で中空形状の側壁３を連ね、前記エアコン室外機本体Ａ部の奥行きより大きくして沿わせた逃がして凹ませた段差部４で据付け置台１の長手方向の略中央部に連ねて中空状に形成し、エアコン室外機Ａの前面側に突き出した脚Ｂと防振用ゴムＤを下に敷いた状態で差込み可能に切り欠いた固定穴部５をエアコン室外機Ａにある前脚端側の側壁３の内壁３ａに設け、且つその露出した室外機脚Ｂを覆うカバー部６で平面状に覆いカバーさせる。その反対側である後脚部側は露出した脚部上部を開放状態にして据付けられる。更に据付け置台１の台形状の下底部全周に設けたフランジ部７で平地面に設置させるように一体で成形する。
【００１５】
（実施例２）
図４は前記据付け置台１に設置した室外機Ａの脚Ｂの前端部及び、設置固定穴Ｃを保護カバーするため、据付け置台１の側壁３の内壁３に係合穴１０を設け、その側壁３の上部を平面状に保護するカバー１１に具備した係止片１２を前記係合穴１０に上から差し込み、図５、及び図６同部断面図のようにの係合固定する。
【００１６】
図６は前記据付け置台１同士の重ね合わせた状態の断面図で重ね合わせ（トラッキング）状態で据付け置台１のトラッキング高さＨよりやや低いｈの補強リブ１３を据付け置台脚座２の下面で据付け置台の側面１２を連ねて複数本設けることで据付け置台自体の耐荷重と室外機Ａの負荷荷重との均衡を図り、脚Ｂ差込み固定穴５側に加重平均して設けることで強度との均衡がとれ、軽量で安全な構造が得られる。
【００１７】
図２の前記エアコン室外機Ａに設けられた脚部Ｂの後側の設置固定穴Ｃに前記据付け置台１の脚座２より上方に一体で突出させたピン８でエアコン室外機脚部Ｂの設置固定穴Ｃ、及び防振ゴムＤの穴を位置決めさせることができる。また、予め防振ゴムＤの固定ができるため、エアコン室外機Ａの据え置く際も位置がズレない。
【００１８】
また、そのエアコン室外機脚部Ｂの設置固定用穴Ｃの位置決めさせたピン８の上面から垂直に形成したねじ固定下穴９に座金ＥとねじＦで上方よりで容易にねじ固定できる構造である。
【００１９】
【発明の効果】
上記説明により明らかなように本発明は、エアコン室外機Ａの脚Ｂの取付け構造を利用して、脚Ｂを据付け置台１に設けた脚座２の側壁３の段差４と差込み用に切欠いた固定穴部５に簡便に差込むことで設置でき、その脚Ｂの上部を一体成形したカバー部６又は別途カバー１１でカバーすることエアコン室外機Ａの固定部の露出がなくなることで設置状態の美観向上が図れ、据付け工事が簡易にできる。
【００２０】
又、脚座２に突出させたピン８にエアコン室外機後脚Ｂの設置固定用穴Ｃを位置決めすることで設置後のエアコン室外機自体のズレや落下が緩和できる。
【００２１】
且つ、ピン８の上部に具備したねじ固下穴８で脚部をエアコンの背面上部より、座金ＥとねじＦで締め付け固定でき、作業性を良くすることができる。
【００２２】
以上の据付け置台１の構成を一体成形することで構造面の強度が向上できるほか、成形金型で容易に加工できることで、軽量で且つ廉価に仕上がる。
【図面の簡単な説明】
【図１】本発明のエアコン室外機の据付け置台の第１実施例における据付け斜視図
【図２】同実施例における据付け置台の斜視図
【図３】同実施例におけるエアコン室外機の据付け置台の取付け断面図
【図４】本発明における据付け置台の第２実施例の斜視図
【図５】同実施例におけるエアコン室外機と据付け置台の取付け断面図
【図６】同実施例における据付け置台の取付け部の断面図
【図７】本発明における据付け置台を重ねた状態の断面図
【図８】同実施例における据付け置台の取付け部の断面図
【符号の説明】
Ａ  エアコン室外機
Ｂ  脚
Ｃ  脚の設置固定穴
Ｄ  防振ゴム
１  据付け置台
２  脚座
３  側壁
４  段差
５  固定穴部
６  カバー部
７  フランジ部
８  ピン
９  ねじ固定下穴
１０  係合穴
１１  カバー
１２  係止片
１３  補強リブ
Ｅ  座金
Ｆ  ねじ
Ｈ  トラッキング高さ
ｈ  補強リブ高さ
【図１】
0003543583.tif 000002
【図２】
0003543583.tif 000003
【図３】
0003543583.tif 000004
【図４】
0003543583.tif 000005
【図５】
0003543583.tif 000006
【図６】
0003543583.tif 000007
【図７】
0003543583.tif 000008
【図８】
0003543583.tif 000009